(57)【要約】【課題】簡素な構成でありながら、受光素子又は発光素子を精度良く且つ短時間で容易に位置決めできる光ピックアップ装置用の素子ホルダ及び光ピックアップ装置を提供する。【解決手段】ホルダ２０の幅をＷ１とし、切欠２０ｃ、２０ｃの間隔をＷ２としたときに、ピン２４ａ、２４ａをＶ字状の溝２０ｂ、２０ｂに係合させるために、その間隔Ｄをホルダ２０の幅をＷ１より大きくする必要がなく、切欠２０ｃ、２０ｃの間隔Ｗ２より大きくすれば足りる（Ｗ１＞Ｄ＞Ｗ２）。従って、Ｖ字状の溝２０ｂ、２０ｂに係合する際に、ピン２４ａ、２４ａの移動量は、それぞれ（Ｗ１−Ｄ）／２だけで済み、把持する時間を短縮でき消費エネルギーを減少させることができる。又、ピン２４ａ、２４ａを互いに接近させたときにおけるホルダ２０の移動量も少なくて済み、位置決め精度を向上できる。更に、３次元駆動機構の移動量も小さくて済むので、コンパクトで低コストな調整装置を実現できる。【選択図】図７
2009163795.tif 000002
【特許請求の範囲】
【請求項１】
受光素子又は発光素子を保持する素子ホルダにおいて、
前記受光素子又は前記発光素子を挟んで対向する側面にＶ字状の溝をそれぞれ有し、前記それぞれのＶ字状の溝を形成する少なくとも一方の面において、前記一方の面を形成する頂部側の片方の端部に第１の切欠が形成されていることを特徴とする光ピックアップ装置用の素子ホルダ。
【請求項２】
各Ｖ字状の溝には、ピンが係合するようになっており、前記第１の切欠は、前記ピンが通過可能なサイズを有することを特徴とする請求項１に記載の光ピックアップ装置用の素子ホルダ。
【請求項３】
前記第１の切欠が形成されている前記片方の端部は、前記受光素子の受光面又は前記発光素子の発光面から離れた側の端部であることを特徴とする請求項１又は２に記載の光ピックアップ装置用の素子ホルダ。
【請求項４】
前記Ｖ字状の溝の底部における前記片方の端部とは反対側に、第２の切欠が形成されていることを特徴とする請求項１〜３のいずれかに記載の光ピックアップ装置用の素子ホルダ。
【請求項５】
請求項１〜４のいずれかに記載の素子ホルダを有することを特徴とする光ピックアップ装置。
【発明の詳細な説明】
【技術分野】
【０００１】
本発明は、光ピックアップ装置用の素子ホルダに関し、特に、光ディスクに対して情報の記録及び／又は再生を行うことができる光ピックアップ装置用の素子ホルダ及び光ピックアップ装置に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの高密度光ディスクに情報の記録及び／又は再生を行える光ピックアップ装置の開発も急速に進んでいる。
【０００３】
しかるに、光ピックアップ装置において適切な情報の記録及び／又は再生を行うため、半導体レーザや受光素子は、対物レンズを含む光学系に対して精度良く位置決めされる必要がある。
【０００４】
光ピックアップ装置の組み付け時において、半導体レーザ等の発光素子又は受光素子の位置決めを行う場合、一般的に、発光素子又は受光素子を光ピックアップ装置のハウジングに対して所定の角度になるよう調整し、且つ、その光軸方向及び光軸直交方向に位置調整を行っている。ここで、発光素子又は受光素子をハウジングに対して所定の角度に調整するためには、オートコリメータ等で、発光素子又は受光素子と光ピックアップ装置との相対角度を検出しながら、所定角度に合わせ込む調整が考えられる。ところが、オートコリメータ等を用いて角度調整を行うと、調整時間が大幅にかかると共に、大がかりな測定調整設備も必要になるため、これを光ピックアップ装置個々に行うことは困難である。
【０００５】
一方、発光素子又は受光素子を、光ピックアップ装置の光軸方向及び光軸直交方向に精度良く位置調整するために、発光素子から照射した光束を受光素子の受光面に入射させることで得られる電気信号を用いることができる。かかる場合、発光素子から照射した光束を受光素子の受光面で捕捉して高精度な位置調整に用いる有効な電気信号を得るために、発光素子からの光束に対して受光素子を光軸直交方向に大まかに位置調整（プリアライメントという）する必要が生じる。ところが、受光素子の受光面は、例えば１００μｍ平方程度しかない狭い領域であるため、かかるプリアライメント作業を、位置調整が可能な電気信号が得られるまで試行錯誤的に行おうとすると、相当に時間がかかる困難な作業になるといえる。
【０００６】
これに対し、例えば半導体レーザを保持するホルダを治具で把持するのみで、レーザ光が検出可能な範囲に収まるように、発光素子や受光素子のプリアライメントを行えれば、位置決め時間を大幅に短縮できる。
【０００７】
特許文献１は、受光素子ホルダから突き出た突起を、素子ホルダ把持具で把持することで、受光素子の位置決めを行うことを開示している。
【特許文献１】特開２００７−１７９６８５号公報
【発明の開示】
【発明が解決しようとする課題】
【０００８】
特許文献１の従来技術では、受光素子ホルダの一対の突起を素子ホルダ治具で把持した後、素子ホルダ治具を位置決めすることで、受光素子ホルダをプリアライメントすることが可能となっている。しかるに、かかる従来技術では、把持された状態における素子ホルダ治具と受光素子ホルダとの相対位置の再現性や精度が問題となる。これらを向上させるには、突起と素子ホルダ治具との当接面を広く確保しなくてはならず、即ち突起を大きくすることが必要となり、それにより受光素子ホルダの厚みや高さが増大すると共に、素子ホルダ治具の大型化を招くという問題が生じる。さらには、突起を大きくすることで、素子ホルダ治具を把持位置まで移動させるためのストロークを長く確保する必要が生じ、素子ホルダ治具の把持動作及び退避動作に時間がかかるという問題もある。
【０００９】
本発明は、かかる問題点に鑑みて成されたものであり、簡素な構成でありながら、受光素子又は発光素子を精度良く且つ短時間で容易に位置決めできる光ピックアップ装置用の素子ホルダ及び光ピックアップ装置を提供することを目的とする。
【課題を解決するための手段】
【００１０】
請求項１に記載の光ピックアップ装置用の発光素子ホルダは、受光素子又は発光素子を保持する素子ホルダにおいて、前記受光素子又は前記発光素子を挟んで対向する側面にＶ字状の溝をそれぞれ有し、前記それぞれのＶ字状の溝を形成する少なくとも一方の面において、前記一方の面を形成する頂部側の片方の端部に第１の切欠が形成されていることを特徴とする。
【００１１】
本発明によれば、前記一方の面を形成する頂部側の片方の端部に第１の切欠が形成されているので、前記素子ホルダのＶ字状の溝を把持する治具を、前記第１の切欠を介して前記Ｖ字状の溝に接近させることが出来、それにより前記受光素子又は前記発光素子ホルダと前記治具との当接範囲を長く確保しても、前記素子ホルダを把持するまでの時間が短縮される。又、かかる治具を、前記第１の切欠を介して前記Ｖ字状の溝より退避させることも出来るので、退避時間も短縮される。
【００１２】
ここで、図１１に示すように、ホルダＨの側面ＳＰに形成されたＶ字状の溝をＶＧとすると、溝ＶＧは２つの面１Ｐ、２Ｐにより形成される。面１Ｐ、２Ｐの交差部を底部ＢＭとし、面１Ｐ、２ＰとホルダＨの側面ＳＰとの交差部をそれぞれ頂部ＴＰとする。又、面１Ｐ、２ＰとホルダＨの表面ＦＰ及び裏面との交差部をそれぞれ端部ＥＤとする。点線で図示するように、面１Ｐ、２Ｐの一方を形成する頂部ＴＰ側の片方の端部ＥＤに第１の切欠ＣＴを形成することができる。
【００１３】
請求項２に記載の光ピックアップ装置用の素子ホルダは、請求項１に記載の発明において、各Ｖ字状の溝には、ピンが係合するようになっており、前記第１の切欠は、前記ピンが通過可能なサイズを有することを特徴とする。かかるピンが、前記素子ホルダを把持する治具であると、上述の効果を発揮できるので好ましい。
【００１４】
請求項３に記載の光ピックアップ装置用の素子ホルダは、請求項１又は２に記載の発明において、前記第１の切欠が形成されている前記片方の端部は、前記受光素子の受光面又は前記発光素子の発光面から離れた側の端部であることを特徴とするので、前記第１の切欠を介して治具を前記Ｖ字状の溝に接近させるのに好適である。
【００１５】
請求項４に記載の光ピックアップ装置用の素子ホルダは、請求項１〜３のいずれかに記載の発明において、前記Ｖ字状の溝の底部における前記片方の端部とは反対側に、第２の切欠が形成されていることを特徴とする。例えば、並べたピンを先端に向かうにつれて狭めるように角度付けして配置して、互いに近接させることにより前記Ｖ字状の溝に係合させたとき、前記Ｖ字状の溝から受ける力で、前記素子ホルダを当接面に向かって押圧固定させることができ、それにより前記素子ホルダの把持を精度良く行うことができる。かかる場合、前記第２の切欠を形成することで、角度付けされたピンの先端が前記Ｖ字状の溝と干渉しないようにできるので好ましい。
【００１６】
請求項５に記載の光ピックアップ装置は、請求項１〜４のいずれかに記載の素子ホルダを用いることを特徴とする。
【発明の効果】
【００１７】
本発明によれば、簡素な構成でありながら、受光素子又は発光素子を精度良く且つ短時間で容易に位置決めできる光ピックアップ装置用の素子ホルダ及び光ピックアップ装置を提供することができる。
【発明を実施するための最良の形態】
【００１８】
以下、図面を参照して、本発明の実施の形態をさらに詳細に説明する。図１は、本実施の形態にかかる光ピックアップ装置を概略的に示す断面図であるが、組み立て時の状態を示している。図２は、図１の構成をII-II線を含む面で切断して矢印方向に見た断面図である。本実施の形態の光ピックアップ装置は、ＨＤ  ＤＶＤ、ＤＶＤ、ＣＤの３種類の光ディスクに対して情報の再生を行えるようになっているが、トラッキング用の光束を生成する回折格子等を追加することにより、情報の記録も行うことが可能である。更に、少なくともその内の１種類の光ディスクに対して情報の記録／再生を行うことができれば足りる。
【００１９】
図１において、ハウジング１には、後述するようにして第１半導体レーザ５、２レーザ１パッケージ１５が位置決め固定されると共に、コリメートレンズ３，立ち上げミラー４，青紫色用偏光ビームスプリッタ６，パワーモニタ７，偏光ビームスプリッタ１１，サーボレンズ１２，光検出器１３，ＣＤ用回折格子１６が固定されており、更にハウジング１に対して、対物光学素子１０とλ／４波長板９とがアクチュエータ１４により変位可能に支持されている。
【００２０】
次に、本実施の形態にかかる光ピックアップ装置の動作について説明する。図２において、ＨＤ  ＤＶＤから情報の再生を行う場合、光源である第１半導体レーザ５を発光させると、そこから出射された波長４０５ｎｍ前後のレーザ光束は、青紫色用偏光ビームスプリッタ６で反射され、更に図１に示すように立ち上げミラー４で反射されるが、一部は立ち上げミラー４を通過してパワーモニタ７で検出される。立ち上げミラー４で反射された光束は、コリメートレンズ３，λ／４波長板９を通過し、対物光学素子１０を介して、ＨＤ  ＤＶＤの情報記録面に集光される。
【００２１】
ＨＤ  ＤＶＤの情報記録面から反射した光束は、対物光学素子１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＨＤ  ＤＶＤから情報の再生を行うことができる。
【００２２】
ここで、光検出器１３上での光スポットの形状変化、強度分布変化を検出して、合焦検出やトラック検出を行う。この検出に基づいて、第１半導体レーザ５からの光束をＨＤ  ＤＶＤの情報記録面上に結像するように、アクチュエータ１４により、対物光学素子１０をボビンと一体で、フォーカシング、トラッキング駆動できるようになっている。
【００２３】
ＤＶＤから情報の再生を行う場合、２レーザ１パッケージ１５内の第２半導体レーザを発光させると、そこから出射された波長６６０ｎｍ前後のレーザ光束は、ＣＤ用回折格子１６を通過し、偏光ビームスプリッタ１１で反射され、青紫色用偏光ビームスプリッタ６を通過し、更に立ち上げミラー４で反射されるが、一部は立ち上げミラー４を通過してパワーモニタ７で検出される。立ち上げミラー４で反射された光束は、コリメートレンズ３，λ／４波長板９を通過し、対物光学素子１０を介して、ＤＶＤの情報記録面に集光される。
【００２４】
ＤＶＤの情報記録面から反射した光束は、対物光学素子１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＤＶＤから情報の再生を行うことができる。
【００２５】
ここで、光検出器１３上での光スポットの形状変化、強度分布変化を検出して、合焦検出やトラック検出を行う。この検出に基づいて、第２半導体レーザからの光束をＤＶＤの情報記録面上に結像するように、アクチュエータ１４により、対物光学素子１０をボビンと一体で、フォーカシング、トラッキング駆動できるようになっている。
【００２６】
ＣＤから情報の再生を行う場合、２レーザ１パッケージ１５内の第３半導体レーザを発光させると、そこから出射された波長７８５ｎｍ前後のレーザ光束は、ＣＤ用回折格子１６に入射して、トラッキング信号用の±１次回折光を生成する。かかるレーザ光束は、偏光ビームスプリッタ１１で反射され、青紫色用偏光ビームスプリッタ６を通過し、更に立ち上げミラー４で反射されるが、一部は立ち上げミラー４を通過してパワーモニタ７で検出される。立ち上げミラー４で反射された光束は、コリメートレンズ３，λ／４波長板９を通過し、対物光学素子１０を介して、ＣＤの情報記録面に集光される。
【００２７】
ＣＤの情報記録面から反射した光束は、対物光学素子１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＣＤから情報の再生を行うことができる。
【００２８】
ここで、光検出器１３上での光スポットの形状変化、強度分布変化を検出して、合焦検出やトラック検出を行う。この検出に基づいて、第３半導体レーザからの光束をＣＤの情報記録面上に結像するように、アクチュエータ１４により、対物光学素子１０をボビンと一体で、フォーカシング、トラッキング駆動できるようになっている。
【００２９】
次に、本実施の形態にかかる光ピックアップ装置の組立時における半導体レーザの調整の態様について述べる。図３は、半導体レーザ５を取り付けたホルダ（素子ホルダともいう）２０の斜視図であり、図４は、半導体レーザ５を取り付けたホルダ２０における、半導体レーザ５の発光面５ａに対し反対側の面（裏面とする）を見た図である。尚、発光面５ａに近い側の面を表面とする。
【００３０】
図３，４において、金属製のホルダ２０は横長の矩形板状であって、半導体レーザ５を挿通する中央開口２０ａと、中央開口２０ａを挟んで両側縁に形成されたＶ字状の溝２０ｂ、２０ｂと、ホルダ２０の裏面側よりＶ字状の溝２０ｂ、２０ｂの片斜面（両斜面でも良い）を２／３程度を切り欠いてなる切欠（第１の切欠）２０ｃ、２０ｃと、ホルダ２０の表面側からＶ字状の溝２０ｂ、２０ｂの底部を切り欠いてなる小切欠（第２の切欠）２０ｄ、２０ｄとを有する。但し、Ｖ字状の溝２０ｂ、２０ｂの底部間の距離Ｗ３と、後述する切欠２０ｃ、２０ｃの間隔Ｗ２とが、Ｗ２≧Ｗ３となるような寸法を有すれば足りる。半導体レーザ５の外形と中央開口２０ａの内形とは、それぞれ精度良く形成されており、両者を圧入で嵌合させることにより、ホルダ２０と半導体レーザ５から出射される光束との幾何学的な関係が定まるようになっている。
【００３１】
図５は、ホルダ２０を把持する治具を示す斜視図である。図５において、半導体レーザ５の光軸方向をＺ軸方向とし、Ｚ軸に直交する鉛直方向上方をＹ軸方向とし、Ｚ軸、Ｙ軸に直交する方向をＸ軸とする。
【００３２】
平行な２本の角柱２４、２４の上端近傍に形成された基準面２４ｂ，２４ｂに、円筒状のピン２４ａ、２４ａが直交する方向に植設されている。ピン２４ａ、２４ａは、図６に示すように、先端（図で下方）に向かうにつれて狭めるように角柱２４，２４に対して傾けて配置されており、その長さはホルダ２０の厚みより短くなっている。角柱２４，２４の下端は、サーボ制御された３次元移動機構により支持されている。図示を簡略化して示す３次元移動機構は、ピン２４ａ、２４ａを接近又は離隔させるべく角柱２４，２４を支持する把持用リニアガイド２５、２５と、把持用リニアガイド２５、２５と一体でピン２４ａ，２４ａの姿勢を独立して制御可能なＸ軸・Ｙ軸・Ｚ軸方向駆動ステージ兼Ｘ軸回り・Ｙ軸回り・Ｚ軸回りの回転駆動ステージ２６と、ホルダ２０に対して、ステージと一体でピン２４ａ、２４ａを相対変位させる退避用リニアガイド（不図示）とを含む。
【００３３】
次に、ピン２４ａ、２４ａによりホルダ２０を把持して行うプリアライメント動作を含む半導体レーザ５の位置決めについて説明する。図７〜９は、ホルダ２０とピン２４ａ、２４ａとの関係を工程を追って示す図であり、（ａ）は正面図であり、（ｂ）は斜視図である。尚、基準面２４ｂ，２４ｂは、組み付け対象となる光ピックアップ装置に対して予め所定の角度になるように位置決めしておくものとし、角柱２４，２４は、３次元移動機構により３次元的に駆動されるものとする。又、半導体レーザ５の光軸は、ホルダ２０の出射側面に対して直交するように取り付けられているものとする。
【００３４】
まず、図７に示すように、待機位置にあるホルダ２０の下方に、所定の間隔Ｄでピン２４ａ、２４ａを配置するようにして角柱２４，２４をセットし、次に退避用リニアガイド（不図示）を駆動制御して上昇させることで、下方側からピン２４ａ、２４ａをホルダ２０に接近させる。その後、ホルダ２０の反出射面側から、ピン２４ａ、２４ａを、切欠２０ｃを通過してＶ字状の溝２０ｂ内に進入させる（図８参照）。かかる状態では、ピン２４ａ、２４ａは、ホルダ２０とは相対変位可能である。
【００３５】
次いで、ホルダ２０を持ち上げるようにピン２４ａ、２４ａを上昇させ、ホルダ２０の出射側面をハウジング１の側面１ａ（図１）に当接させる。これによりホルダ２０の出射側面がハウジング１の側面１ａに押され、その反力により押されたホルダ２０は、角柱２４，２４の基準面２４ｂ、２４ｂに面接触する。更に、把持用リニアガイド２５、２５を駆動制御して、図９に示すごとく、角柱２４，２４ごと移動させてピン２４ａ、２４ａを互いに接近させることにより、ホルダ２０と基準面２４ｂ、２４ｂとの接触を保ったまま、ピン２４ａ、２４ａはＶ字状の溝２０ｂ、２０ｂの底部に至り、これにより角柱２４，２４に対するホルダ２０の光軸直交方向の位置決めを行えると共に、ホルダ２０を確実に把持することができる。このとき、ピン２４ａ、２４ａは角度付けされているために、その先端はＶ字状の溝２０ｂ、２０ｂの底部の間隔より内側に互いに接近するが、ホルダ２０の出射側面側にピン２４ａ、２４ａの逃げとして小切欠２０ｄ、２０ｄが形成されているので、先端の干渉を回避してホルダ２０を安定して保持できる。
【００３６】
ここで、ホルダ２０のサイズは小さいので、ピン２４ａ、２４ａで適切な位置を把持するのは一般的に難しい。これに対し本実施の形態では、ホルダ２０の両側縁にＶ字状の溝２０ｂ、２０ｂを形成しているので、図１０に二点鎖線で示す三角形状の領域Ａ，Ａ内にピン２４ａ、２４ａを大まかに差し入れて、互いに接近させれば、必ずＶ字状の溝２０ｂ、２０ｂの底部に到達することとなり、その底部間にホルダ２０及び半導体レーザ５の重心を配置することで、ピン２４ａ、２４ａにより、ホルダ２０と半導体レーザ５を安定して把持できることとなる。
【００３７】
以上で、プリアライメント動作が完了する。プリアライメント動作の完了により、半導体レーザ５から出射されたレーザ光は、光検出器１３の受光面に入射するようになるので、光検出器１３からの出力をフィードバックしつつＸ軸・Ｙ軸・Ｚ軸方向駆動ステージ兼Ｘ軸回り・Ｙ軸回り・Ｚ軸回りの回転駆動ステージ２６を駆動することで、光学的により高精度な微調整を行うことができる。このとき、ホルダ２０は、予め角度調整がされた角柱２４，２４の基準面２４ｂ、２４ｂに面接触した状態に維持されるので、安定した状態で且つハウジングに対して所定の角度になるよう位置決めを行うことができる。
【００３８】
半導体レーザ５の位置決め微調整後に、ホルダ２０をハウジング１（図１，２参照）に接着剤で固定した後、図８に示すように、把持用リニアガイド２５、２５を駆動制御して、ピン２４ａ、２４ａを互いに離隔するように角柱２４，２４ごと移動させ、その後退避用リニアガイド（不図示）を駆動制御してホルダ２０から遠ざけ（Ｚ方向に退避させ）、更にホルダ２０の下方へと離脱するように移動させる（図７参照）。
【００３９】
図７に示すように、ホルダ２０の幅をＷ１とし、切欠２０ｃ、２０ｃの間隔をＷ２（図３参照）としたときに、本実施の形態によれば、ピン２４ａ、２４ａをＶ字状の溝２０ｂ、２０ｂに係合させるために、その間隔Ｄをホルダ２０の幅をＷ１より大きくする必要がなく、切欠２０ｃ、２０ｃの間隔Ｗ２より大きくすれば足りる（Ｗ１＞Ｄ＞Ｗ２）。従って、Ｖ字状の溝２０ｂ、２０ｂに係合する際に、ピン２４ａ、２４ａの移動量は、それぞれ（Ｗ１−Ｄ）／２だけで済み、把持する時間を短縮でき駆動時に消費されるエネルギーを減少させることもできる。又、ピン２４ａ、２４ａを互いに接近させたときにおけるホルダ２０の移動量も少なくて済み、位置決め精度を向上できる。更に、３次元駆動機構の移動量も小さくて済むので、コンパクトで低コストな調整装置を実現できる。
【００４０】
切欠２０ｃ、２０ｃの大きさは、少なくともピン２４ａ２４ａが通過できる寸法であれば足りる。又、図４に示すように、ホルダ２０の全体の厚みをＴ１とし、切欠２０ｃのある位置におけるホルダ２０の厚みをＴ２としたときに、Ｔ２が薄すぎるとホルダ２０の成形が困難になるので、Ｔ２≧０．５ｍｍ以上とすることが好ましい。又、ピン２４ａ、２４ａの傾きは、それぞれ５度程度であるとよい。更にＶ字状の溝２０ｂ、２０ｂの底部間の距離Ｗ３と、切欠２０ｃ、２０ｃの間隔Ｗ２とが、Ｗ２≧Ｗ３となるような寸法を有すると良い。
【００４１】
以上、本発明を実施の形態を参照して説明してきたが、本発明は上記実施の形態に限定して解釈されるべきではなく、適宜変更・改良が可能であることはもちろんである。例えば、発光素子として半導体レーザの例を示したが、これに限らず受光素子として光検出器やパワーモニタなどにも適用可能である。又、本実施の形態では、ピン２４ａ、２４ａを角度付けして配置したが、これを平行とし、Ｖ字状の溝２０ｂ、２０ｂに係合させて平行出しを行うことも可能である。
【図面の簡単な説明】
【００４２】
【図１】本実施の形態にかかる光ピックアップ装置を概略的に示す断面図である。
【図２】図１の構成をII-II線を含む面で切断して矢印方向に見た断面図である。
【図３】半導体レーザ５を取り付けたホルダ２０の斜視図である。
【図４】半導体レーザ５を取り付けたホルダ２０における、半導体レーザ５の発光面５ａに対し反対側の面を見た図である。
【図５】ホルダ２０を把持する治具を示す斜視図である。
【図６】角度付けされたピン２４ａ、２４ａを示す図である。
【図７】ホルダ２０とピン２４ａ、２４ａとの関係を工程を追って示す図である。
【図８】ホルダ２０とピン２４ａ、２４ａとの関係を工程を追って示す図である。
【図９】ホルダ２０とピン２４ａ、２４ａとの関係を工程を追って示す図である。
【図１０】ホルダ２０とピン２４ａ、２４ａとの関係を示す簡略化した図である。
【図１１】溝の各部の定義を説明するための図である。
【符号の説明】
【００４３】
１ ハウジング
３ コリメートレンズ
４ 立ち上げミラー
５ 半導体レーザ
６ 青紫色用偏光ビームスプリッタ
７ パワーモニタ
９ λ／４波長板
１０ 対物光学素子
１１ 偏光ビームスプリッタ
１２ サーボレンズ
１３ 光検出器
１４ アクチュエータ
１５ ２レーザ１パッケージ
１６ ＣＤ用回折格子
２０ ホルダ
２０ａ 中央開口
２０ｂ Ｖ字状の溝
２０ｃ 切欠
２０ｄ 小切欠
２４ 角柱
２４ａ ピン
２５  把持用リニアガイド
２６  Ｘ軸・Ｙ軸・Ｚ軸方向駆動ステージ兼Ｘ軸回り・Ｙ軸回り・Ｚ軸回りの回転駆動ステージ
【図１】
2009163795.tif 000003
【図２】
2009163795.tif 000004
【図３】
2009163795.tif 000005
【図４】
2009163795.tif 000006
【図５】
2009163795.tif 000007
【図６】
2009163795.tif 000008
【図７】
2009163795.tif 000009
【図８】
2009163795.tif 000010
【図９】
2009163795.tif 000011
【図１０】
2009163795.tif 000012
【図１１】
2009163795.tif 000013